(57)【特許請求の範囲】
【請求項１】
文字，記号，画像などの印刷対象を印刷用紙に印刷する印刷装置であって、
用紙セット位置にセットされた印刷用紙を印刷のために搬送する搬送手段と、
印刷に用いる印刷用情報を記憶した記憶素子を有する印刷用紙が前記搬送手段により搬送される際に、該印刷用紙の記憶素子から前記印刷用情報を取得する印刷用情報取得手段と、
前記印刷情報取得手段により同時に複数の印刷用情報を取得したときに複数の印刷用紙が搬送された旨の出力を行なう所定出力手段と、
前記取得した印刷用情報に基づいて前記印刷用紙に印刷対象を印刷する印刷手段と、
を備える印刷装置。
【請求項２】
請求項１記載の印刷装置であって、
前記印刷用情報は、用紙に関する情報を含み、
前記印刷手段は、前記取得した印刷用情報が含む用紙に関する情報に基づいて印刷に必要な設定を行なって印刷する手段である
印刷装置。
【請求項３】
文字，記号，画像などの印刷対象を印刷用紙に印刷する印刷装置における印刷方法であって、
（ａ）印刷に用いる印刷用情報を記憶した記憶素子を有し用紙セット位置にセットされた印刷用紙が印刷のために搬送される際に、該印刷用紙の記憶素子から前記印刷用情報を取得し、同時に複数の印刷用情報を取得したときには複数の印刷用紙が搬送された旨の出力を行ない、
（ｂ）該取得した印刷用情報に基づいて前記印刷用紙に印刷対象を印刷する
印刷方法。
【発明の詳細な説明】
【０００１】
【発明の属する技術分野】
本発明は、印刷装置および印刷装置における印刷方法に関し、詳しくは、文字，記号，画像などの印刷対象を印刷用紙に印刷する印刷装置およびこの印刷装置における印刷方法に関する。
【０００２】
【従来の技術】
従来、この種の印刷装置としては、種々の印刷用紙に対応する設定を行なうことできるものが提案されている。近年、画像や写真などの印刷対象をより鮮明に印刷するために種々の印刷用紙が開発されている。印刷装置では、こうした種々の印刷用紙に対応する設定を可能とするドライバソフトを組み込んで印刷用紙に対応した設定を行なうことにより、印刷対象のより鮮明な印刷を可能としている。
【０００３】
【発明が解決しようとする課題】
しかしながら、こうした印刷装置では、開発された印刷用紙の種類が多いことと、印刷用紙に対応する設定を手動で行なうことから、印刷用紙に適合する設定がなされない場合が生じる。また、同種の印刷用紙でも製造メーカーが異なるとその名称も異なるため、印刷装置に対して同一の設定がなされない場合も生じる。これでは、印刷装置や印刷用紙の性能を十分に発揮できない場合が生じてしまう。
【０００４】
本発明の印刷装置および印刷装置における印刷方法は、印刷用紙の種類に対応する設定を容易に行なうことを目的の一つとする。また、本発明の印刷装置および印刷装置における印刷方法は、印刷用紙のサイズや方向の設定を容易に行なうことを目的の一つとする。さらに、本発明の印刷装置は、印刷用紙の重なりを防止することを目的の一つとする。
【０００５】
【課題を解決するための手段およびその作用・効果】
本発明の印刷装置および印刷装置における印刷方法は、上述の目的の少なくとも一部を達成するために以下の手段を採った。
【０００６】
本発明の印刷装置は、
文字，記号，画像などの印刷対象を印刷用紙に印刷する印刷装置であって、
用紙セット位置にセットされた印刷用紙を印刷のために搬送する搬送手段と、印刷に用いる印刷用情報を記憶した記憶素子を有する印刷用紙が前記搬送手段により搬送される際に、該印刷用紙の記憶素子から前記印刷用情報を取得する印刷用情報取得手段と、
該取得した印刷用情報に基づいて前記印刷用紙に印刷対象を印刷する印刷手段と、
を備えることを要旨とする。
【０００７】
この本発明の印刷装置では、印刷に用いる印刷用情報を記憶した記憶素子を有する印刷用紙が搬送される際に、この印刷用紙の記憶素子から印刷用情報を取得し、この取得した印刷用情報に基づいて印刷用紙に印刷対象を印刷するから、印刷用紙により適応した印刷を行なうことができる。
【０００８】
こうした本発明の印刷装置において、前記印刷用情報は用紙に関する情報を含み、前記印刷手段は前記取得した印刷用情報が含む用紙に関する情報に基づいて印刷に必要な設定を行なって印刷する手段であるものとすることもできる。この態様の本発明の印刷装置において、前記印刷用紙は前記記憶素子を所定の位置に配置されてなり、前記用紙に関する情報は用紙のサイズを含み、前記印刷用情報取得手段は前記搬送される際の前記印刷用紙における記憶素子の位置を検出する手段であり、前記印刷手段は前記搬送される際の前記印刷用紙における記憶素子の位置と前記用紙のサイズとに基づいて印刷用紙のサイズと印刷用紙の方向とを設定して印刷する手段であるものとすることもできる。こうすれば、印刷用紙のサイズや向きに応じた印刷を行なうことができる。また、用紙に関する情報が印刷用情報に含まれる態様の本発明の印刷装置において、前記用紙に関する情報は用紙の種類を含み、前記印刷手段は用紙の種類に適合する設定を行なって印刷する手段であるものとすることもできる。こうすれば、印刷用紙の種類に適合する設定を自動で行なうことができる。この結果、手動で設定することにより生じ得る不適合な設定を防止することができる。
【０００９】
また、本発明の印刷装置において、前記印刷用情報は前記印刷装置の設定に関する情報を含み、前記印刷手段は前記取得した印刷用情報が含む印刷装置の設定に関する情報に基づいて印刷に必要な設定を行なって印刷する手段であるものとすることもできる。こうすれば、印刷装置に印刷用紙に適合する設定を自動で行なうことができる。この結果、手動で設定することにより生じ得る不適合な設定を防止することができる。
【００１０】
さらに、本発明の印刷装置において、前記印刷情報取得手段により同時に複数の印刷用情報を取得したときに所定の出力を行なう所定出力手段を備えるものとすることもできる。こうすれば、同時に複数の印刷情報を取得したことを知らせることができる。この態様の本発明の印刷装置において、前記所定出力手段は、前記所定の出力として複数の印刷用紙が搬送された旨を出力する手段であるものとすることもできる。
【００１１】
本発明の印刷装置において、前記記憶素子は前記印刷用情報を記憶する記憶部と第１の送信波を受信する受信部と第２の送信波を送信する送信部と前記第１の送信波を受信したときに前記記憶部に記憶された印刷用情報が前記第２の送信波を用いて前記送信部から送信されるよう制御する制御部とを備える素子であり、前記印刷用情報取得手段は前記第１の送信波を送信する送信部と前記第２の送信波を受信する受信部と該受信した前記第２の送信波から前記印刷用情報を解析する解析部とを備える手段であるものとすることもできる。こうすれば、印刷装置から第１の送信波を送信することにより、記憶素子から第２の送信波を用いて送信される印刷用情報を受信することができる。即ち、印刷用紙の記憶素子と接触することなく印刷用情報を取得することができる。
【００１２】
本発明の印刷装置において、前記記憶素子は、０．２ｍｍ以下の厚さに形成されてなるものとしたり、縦横０．５ｍｍ以下の矩形形状に形成されてなるものとすることもできる。また、前記記憶素子は、用紙表面と用紙表面にコーティングされるコーティング材との間に配置されてなるものとすることもできる。こうすれば、記憶素子の上にも印刷することができる。
【００１３】
本発明の印刷装置における印刷方法は、
文字，記号，画像などの印刷対象を印刷用紙に印刷する印刷装置における印刷方法であって、
（ａ）印刷に用いる印刷用情報を記憶した記憶素子を有し用紙セット位置にセットされた印刷用紙が印刷のために搬送される際に、該印刷用紙の記憶素子から前記印刷用情報を取得し、
（ｂ）該取得した印刷用情報に基づいて前記印刷用紙に印刷対象を印刷する
ことを要旨とする。
【００１４】
この本発明の印刷装置における印刷方法によれば、印刷に用いる印刷用情報を記憶した記憶素子を有し用紙セット位置にセットされた印刷用紙が印刷のために搬送される際に、この印刷用紙の記憶素子から印刷用情報を取得し、この取得した印刷用情報に基づいて印刷用紙に印刷対象を印刷するから、印刷用紙により適応した印刷を行なうことができる。
【００１５】
こうした本発明の印刷装置における印刷方法において、前記印刷用情報は用紙に関する情報を含み、前記ステップ（ｂ）は前記取得した印刷用情報が含む用紙に関する情報に基づいて印刷に必要な設定を行なって印刷するステップであるものとすることもできる。この態様の本発明の印刷装置における印刷方法において、前記印刷用紙は前記記憶素子を所定の位置に配置されてなり、前記用紙に関する情報は用紙のサイズを含み、前記ステップ（ａ）は前記搬送される際に前記印刷用紙における記憶素子の位置を検出するステップであり、前記ステップ（ｂ）は前記搬送される際に前記印刷用紙における記憶素子の位置と前記用紙のサイズとに基づいて印刷用紙のサイズと印刷用紙の方向とを設定して印刷するステップであるものとすることもできる。こうすれば、印刷用紙のサイズや向きに応じた印刷を行なうことができる。また、用紙に関する情報が印刷用情報に含まれる態様の本発明の印刷装置における印刷方法において、前記用紙に関する情報は用紙の種類を含み、前記ステップ（ｂ）は用紙の種類に適合する設定を行なって印刷するステップであるものとすることもできる。こうすれば、印刷用紙の種類に適合する設定を自動で行なうことができる。この結果、手動で設定することにより生じ得る不適合な設定を防止することができる。
【００１６】
また、本発明の印刷装置における印刷方法において、前記印刷用情報は前記印刷装置の設定に関する情報を含み、前記ステップ（ｂ）は前記取得した印刷用情報が含む印刷装置の設定に関する情報に基づいて印刷に必要な設定を行なって印刷するステップであるものとすることもできる。こうすれば、印刷装置に印刷用紙に適合する設定を自動で行なうことができる。この結果、手動で設定することにより生じ得る不適合な設定を防止することができる。
【００１７】
さらに、本発明の印刷装置における印刷方法において、前記ステップ（ａ）は、同時に複数の印刷用情報を取得したときには所定の出力を行なうステップであるものとすることもできる。こうすれば、同時に複数の印刷情報を取得したことを知らせることができる。この態様の本発明の印刷装置における印刷方法において、前記ステップ（ａ）は、前記所定の出力として複数の印刷用紙が搬送された旨を出力するステップであるものとすることもできる。
【００１８】
【発明の実施の形態】
次に、本発明の実施の形態を実施例を用いて説明する。図１は、本発明の一実施例である印刷装置としてのプリンタ２０の構成の概略を示す構成図である。実施例のプリンタ２０は、図示するように、コンピュータ１０に接続されており、コンピュータ１０で動作するアプリケーションプログラムなどにより印刷指示されオペレーションシステムに組み込まれたプリンタドライバでプリンタ２０で用いるインクの各色のデータに変換して転送された画像や文書などの印刷用データに基づいて画像や文書を印刷用紙７０に印刷する。
【００１９】
プリンタ２０は、図示するように、インクカートリッジ４６，４８が取り付けられガイド部材２８に案内されたキャリッジ２２を図中左右方向に移動させるキャリッジベルト３２とキャリッジモータ３４とから構成されるキャリッジ機構３０と、紙送りローラ３８などから構成され印刷用紙７０を図中前後方向に移動可能な紙送り機構３６と、印刷処理の休止中にキャリッジ２２の下部に取り付けられた印刷ヘッド２４のノズル開口部を封止するキャッピング装置４０と、印刷ヘッド２４の表面をブレードなどでワイピングすることにより印刷ヘッド２４の表面に付着したインク滓や紙粉を拭き取るワイピング装置４２と、印刷用紙の搬送部における左右隅のキャリッジ機構３０の後ろ側に取り付けられ搬送される印刷用紙に取り付けられた記憶素子８０から印刷用情報を取得する二つの情報取得装置５０と、プリンタ２０全体をコントロールするコントローラ６０とを備える。
【００２０】
図２は、実施例のプリンタ２０と印刷用紙７０の記憶素子８０における電気的な接続関係を機能ブロックにより例示するブロック図である。二個の情報取得装置５０は同一の構成であるから、そのうちの一方についての図２への図示は省略した。情報取得装置５０は、図示するように、マイクロストリップアンテナとして構成されたアンテナ５２と、コントローラ６０の指示により所定の波長の電波（例えば、２．４５ＧＨｚ帯域の電波）を用いて信号をアンテナ５２から送受信する送受信回路５４とから構成されている。コントローラ６０は、ＣＰＵ６１を中心とするマイクロプロセッサとして構成されており、処理プログラムや各種データを記憶するＲＯＭ６２と、データを一時的に記憶するＲＡＭ６３と、時間を計時するタイマ６４と、周辺機器との信号の入出力を司る周辺機器入出力部６５と、印刷ヘッド２４にドット形成のためのオン・オフ信号を供給するバッファとしての駆動バッファ６６と、所定周波数で駆動波形を出力する発振器６８と、発振器６８からの出力を印刷ヘッド２４に所定のタイミングで分配する分配出力器６７とを備える。なお、ＣＰＵ６１やＲＯＭ６２，ＲＡＭ６３，タイマ６４，周辺機器入出力部６５は、バス６９により接続されている。周辺機器入出力部６５には、種々の設定を行なう図示しない操作パネル１２からの設定信号やコンピュータ１０からの制御信号，情報取得装置５０の送受信回路５４からの受信データなどが入力されており、周辺機器入出力部６５からは、操作パネル１２への表示信号やキャリッジモータ３４への駆動信号，紙送り機構３６への駆動信号，コンピュータ１０への制御信号，情報取得装置５０の送受信回路５４への送信信号などが出力されている。
【００２１】
図３は、実施例のプリンタ２０で用いられる印刷用紙７０のの構成の概略を示す構成図であり、図４は図３における実施例の印刷用紙７０の右下部のＡ−Ａ断面を拡大して示す拡大断面図である。実施例の印刷用紙７０は、図３に示すように、Ａ４やＢ４などの規格された所定サイズに形成されており、図３および図４に示すように、表面を向けて縦置きにしたときに、左上隅と右下隅の所定位置（例えば、隅を形成する各辺から５ｍｍの位置など）に薄膜状の記憶素子８０が画像印刷用のコーティング剤７４により用紙本体７２に貼り付けられている。記憶素子８０は、厚さが０．２ｍｍ以下好ましくは０．１ｍｍ以下の薄膜状で、一辺が０．５ｍｍ以下好ましくは０．４ｍｍ以下の矩形形状をしたＩＣチップであり、例えば日立製作所製の商品名ミューチップなどを用いることができる。このように、記憶素子８０は小型で薄膜であるから、位置決めや情報を記憶するためのマークに比して、印刷画面に与える影響は小さい。また、記憶素子８０の表面にもコーティング剤が施されているから、記憶素子８０の上にも印刷することができる。
【００２２】
図２に示すように、記憶素子８０は、所定の波長の電波（例えば、２．４５ＧＨｚ帯域の電波）を用いて信号を送受信するアンテナ８２と、受信した電波を整流して電波のエネルギを電力として供給する整流器８３と、受信した信号を解析する信号解析部ＲＦ（Ｒａｄｉｏ  Ｆｒｅｑｕｅｎｃｙ）８４と、印刷に用いられる印刷用情報を記憶するメモリセル８５と、アンテナ８２で受信し信号解析部ＲＦ８４で解析された信号が印刷用情報を送信させるために設定された所定の信号であるときにメモリセル８５に記憶された印刷用情報を信号解析部ＲＦ８４を介してアンテナ８２から送信する制御部８６とを備える。したがって、記憶素子８０は、印刷用情報を送信させるために設定された所定の信号を乗せた電波をアンテナ８２で受信することにより、メモリセル８５に記憶された印刷用情報を信号解析部ＲＦ８４を介してアンテナ８２から送信する。なお、実施例のメモリセル８５は、リードオンリーメモリとして構成されているから、制御部８６はメモリセル８５に対しては、データの読み込みだけで書き込みは行なわない。ここで、メモリセル８５に記憶されている印刷用情報としては、例えば、印刷用紙７０の種類やサイズなどの用紙に関する情報や印刷用紙７０を用いて印刷を行なう実施例のプリンタ２０に対する設定に関する情報などを例として挙げることができる。
【００２３】
次に、こうして構成された実施例のプリンタ２０の動作について説明する。図５は、コントローラ６０により実行される印刷処理の一例を示すフローチャートである。この処理は、印刷ジョブの実行が指示されたときに実行される。印刷処理では、まず、紙送り機構３６により印刷用紙７０を印刷可能な位置まで搬送すると共にこの搬送する際に印刷用紙７０に取り付けられた記憶素子８０から印刷用情報を読み込む処理を実行する（ステップＳ１００，Ｓ１０２）。印刷用情報の読み込みは、具体的には、周辺機器入出力部６５を介して情報取得装置５０の送受信回路５４に印刷用情報を送信させるために予め設定された所定の信号を所定の波長の電波に乗せてアンテナ５２から送信し、この送信に伴って記憶素子８０のアンテナ８２から送信される印刷用情報をアンテナ５２を介して送受信回路５４で受信し、受信した信号を入力することにより行なわれる。
【００２４】
続いて、こうした印刷用情報の読み込み処理で印刷用情報を読み込めたか否かを判定する（ステップＳ１０４）。実施例のプリンタ２０では、記憶素子８０が取り付けられた印刷用紙７０以外の印刷用紙、即ち、記憶素子８０が取り付けられていない通常の印刷用紙に対しても印刷可能であるから、この印刷用情報を読み込めたか否かの判定は、記憶素子８０が取り付けられた印刷用紙７０であるか否かの判定となる。印刷用情報を読み込めなかったときには、記憶素子８０が取り付けられた印刷用紙７０ではなく、通常の印刷用紙がセットされていると判断して、印刷対象を印刷して（ステップＳ１１２）、印刷処理を終了する。
【００２５】
一方、印刷用情報を読み込めたときには、複数の印刷用情報を読み込んだか否かを判定する（ステップＳ１０６）。印刷用紙７０の搬送は、通常１枚毎に行なわれるが、静電気の作用などにより２枚以上が同時に搬送されるときもある。このように複数の印刷用紙７０が搬送されると、ステップＳ１０２の処理では複数の印刷用情報を読み込むことになる。したがって、この複数の印刷用情報を読み込んだか否かの判定は、正常に１枚の印刷用紙７０だけが搬送されたか複数枚の印刷用紙７０が同時に搬送されたかの判定となる。複数の印刷用情報を読み込んだときには、複数の印刷用紙７０を搬送したと判断し、図示しない操作パネル１２の表示ランプを点灯したり、コンピュータ１０に複数枚の搬送を表示する画面を出力する信号を出力して（ステップＳ１１４）、印刷処理を終了する。
【００２６】
複数の印刷用情報を読み込まなかったとき、即ち、正常に１枚の印刷用紙７０を搬送したときには、読み込んだ印刷用情報から用紙サイズと用紙種類とセットされた用紙の方向を解析すると共に（ステップＳ１０８）、解析した用紙サイズと用紙種類と用紙方向を印刷条件として設定し（ステップＳ１１０）、設定した印刷条件に基づいて印刷対象を印刷して（ステップＳ１１２）、印刷処理を終了する。ここで、用紙サイズと用紙種類は、記憶素子８０から読み込んだ印刷用情報に基づいて直接解析することができる。セットされた用紙の方向、即ち、縦向きか横向きかの解析は、プリンタ２０に取り付けられた２個の情報取得装置５０のうちのいずれの情報取得装置５０で印刷用情報を読み込んだかに基づいて行なうことができる。図３に示すように、記憶素子８０は、印刷用紙７０の左上隅と右下隅の所定位置に貼り付けられているから、用紙方向は、図１中右側の情報取得装置５０で印刷用情報を読み込んだときには「縦」となり、図１中左側の情報取得装置５０で印刷用情報を読み込んだときには「横」となる。
【００２７】
以上説明した実施例のプリンタ２０によれば、左上隅と右下隅の所定位置に用紙サイズや用紙種類を含む印刷用情報を記憶する記憶素子８０が貼り付けられた印刷用紙７０を用いて印刷するときには、記憶素子８０から読み込んだ印刷用情報に基づいて用紙サイズや用紙種類などの印刷条件を設定して印刷するから、印刷用紙７０に対して最も適正な設定を行なって印刷することができる。即ち、利用者の操作なしに、印刷用紙７０に対する最も適正な設定を行なって印刷することができる。しかも、２個の情報取得装置５０を用いたから、セットされた印刷用紙７０の縦横をも判定して印刷することができる。
【００２８】
また、実施例のプリンタ２０によれば、印刷用情報の読み込み処理で複数の印刷用情報を読み込んだか否かを判定することにより、複数枚の印刷用紙７０が同時に搬送されたのを検出することができる。しかも、複数枚の印刷用紙７０が同時に搬送されたときには、図示しない操作パネル１２の表示ランプを点灯したり、コンピュータ１０に複数枚の搬送を表示出力するから、複数枚の印刷用紙７０の搬送を利用者に知らせることができる。
【００２９】
実施例のプリンタ２０では、複数枚の印刷用紙７０の搬送が検出されたときには印刷処理を終了するものとしたが、搬送した印刷用紙７０を送り出した後にステップＳ１００の印刷用紙の搬送処理に戻るものとしてもよい。こうすれば、印刷処理を続行することができる。
【００３０】
実施例のプリンタ２０では、印刷用情報の読み込み処理で複数の印刷用情報を読み込んだか否かを判定することにより、複数枚の印刷用紙７０が同時に搬送されたか否かを検出するものとしたが、複数枚の印刷用紙７０が同時に搬送されたか否かを検出しないものとしても構わない。
【００３１】
実施例のプリンタ２０では、印刷用紙７０の方向を特定するために２個の情報取得装置５０を備えるものとしたが、印刷用紙７０の方向を特定しないものとすれば、１個の情報取得装置５０を備えるものとしても差し支えない。この場合、情報取得装置５０の取り付け位置は、図１中右側の位置としてもよく、図１中左側の位置としてもよく、その間の位置としてもよい。情報取得装置５０の取り付け位置は、アンテナ５２から送信される電波の強さや、記憶素子８０のアンテナ８２から送信される電波の強さ、この電波を受信するアンテナ５２の感度などにより定めることができる。
【００３２】
実施例のプリンタ２０では、左上隅と右下隅の所定位置に用紙サイズや用紙種類を含む印刷用情報を記憶する記憶素子８０が貼り付けられた印刷用紙７０を用いて印刷するものとしたが、右上隅と左下隅とに記憶素子８０が貼り付けられた印刷用紙を用いて印刷するものとしてもよく、左右上下の四隅に記憶素子８０が貼り付けられた印刷用紙を用いて印刷するものとしてもよく、左右上下の四隅のうちの一つにだけ記憶素子８０を貼り付けられた印刷用紙を用いて印刷するものとしてもよい。また、また、図６に示すように、記憶素子８０が用紙の表面にランダムに貼り付けられた印刷用紙７０Ｂを用いるものとしてもよい。これらの場合にも、情報取得装置５０の取り付け位置は、アンテナ５２から送信される電波の強さや、記憶素子８０のアンテナ８２から送信される電波の強さ、この電波を受信するアンテナ５２の感度などにより定めることができる。
【００３３】
実施例のプリンタ２０では、印刷用情報を取得する際に情報取得装置５０から印刷用情報を送信させるために設定された所定の信号を乗せた電波を送信するものとしたが、記憶素子８０を所定の波長の電波を受信したときにメモリセル８５に記憶された印刷用情報を信号解析部ＲＦ８４を介してアンテナ８２から送信するように構成すれば、情報取得装置５０から単に所定の波長の電波を送信するものとしてもよい。
【００３４】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】本発明の一実施例である印刷装置としてのプリンタ２０の構成の概略を示す構成図である。
【図２】実施例のプリンタ２０と印刷用紙７０の記憶素子８０における電気的な接続関係を機能ブロックにより例示するブロック図である。
【図３】実施例のプリンタ２０で用いられる印刷用紙７０のの構成の概略を示す構成図である。
【図４】図３における実施例の印刷用紙７０の右下部のＡ−Ａ断面を拡大して示す拡大断面図である。
【図５】コントローラ６０により実行される印刷処理の一例を示すフローチャートである。
【図６】変形例の印刷用紙７０Ｂの構成の概略を示す構成図である。
【符号の説明】
１０  コンピュータ、１２  操作パネル、２０  プリンタ、２２  キャリッジ、２４  印刷ヘッド、２８  ガイド部材、３０  キャリッジ機構、３２  キャリッジベルト、３４  キャリッジモータ、３６  紙送り機構、３８  紙送りローラ、４０  キャッピング装置、４２  ワイピング装置、４６，４８  インクカートリッジ、５０  情報取得装置、５２  アンテナ、５４  送受信回路、６０  コントローラ、６１  ＣＰＵ、６２  ＲＯＭ、６３  ＲＡＭ、６４  タイマ、６５  周辺機器入出力部、６６  駆動バッファ、６７  分配出力器、６８  発振器、６９  バス、７０  印刷用紙、７２  用紙本体、７４  コーティング剤、８０  記憶素子、８２  アンテナ、８３  整流器、８４  信号解析部ＲＦ、８５  メモリセル、８６  制御部。
【図１】
0003760881.tif 000002
【図２】
0003760881.tif 000003
【図３】
0003760881.tif 000004
【図４】
0003760881.tif 000005
【図５】
0003760881.tif 000006
【図６】
0003760881.tif 000007